(57)【要約】  本発明は、移動可能に互いに結合された冷却部材（２）を有し、前記冷却部材が冷却すべき人（１）などによって着用可能なケープ（４）の形状で配置されており、かつ冷却液（３）を含んでいる、人（１）などの身体を冷却する装置に関する。人（１）などを特に迅速かつ効率的に冷却することを可能にする、この種の冷却装置を形成するために、冷却部材（２）の内部に、冷却液（３）を収容するための、冷却液（３）に比較して熱伝導性の良い材料、たとえばグラファイトが含まれている。
2009525410.tif 000002
【特許請求の範囲】
【請求項１】
人（１）などの身体を冷却する装置であって、
移動可能に互いに結合された冷却部材（２）を有し、前記冷却部材が冷却すべき人（１）などによって着用可能なケープ（４）の形状で配置されており、かつ、冷却液（３）を含んでいる、ものにおいて、
冷却部材（２）の内部に、冷却液（３）を収容するための、冷却液（３）に比較して熱伝導性の良い材料が含まれている、
ことを特徴とする人などの身体を冷却する装置。
【請求項２】
人（１）などの身体へ向いた側（８）に、スペーサ部材（９）が配置されている、ことを特徴とする請求項１に記載の冷却装置。
【請求項３】
スペーサ部材（９）が、発泡材から形成されている、ことを特徴とする請求項２に記載の冷却装置。
【請求項４】
スペーサ部材（９）が、可塑変形可能な材料から形成されて、いることを特徴とする請求項２または３に記載の冷却装置。
【請求項５】
スペーサ部材（９）が、取り外し可能に配置されている、ことを特徴とする請求項２から４のいずれか１項に記載の冷却装置。
【請求項６】
ケープ（４）内に、肩パッド（１７）が配置されている、ことを特徴とする請求項１から５のいずれか１項に記載の冷却装置。
【請求項７】
肩パッド（１７）が、発泡材から形成されている、ことを特徴とする請求項６に記載の冷却装置。
【請求項８】
ケープ（４）が、袖（１０）を有している、ことを特徴とする請求項１から７のいずれか１項に記載の冷却装置。
【請求項９】
ケープ（４）が、フード（１１）を有してる、ことを特徴とする請求項１から８のいずれか１項に記載の冷却装置。
【請求項１０】
ケープ（４）が、少なくとも１つの、好ましくは閉鎖可能な、開口部（１２）を有している、ことを特徴とする請求項１から９のいずれか１項に記載の冷却装置。
【請求項１１】
少なくとも１つの開口部（１２）が、ファスナー（１３）によって形成されている、ことを特徴とする請求項１０に記載の冷却装置。
【請求項１２】
少なくとも１つの開口部（１２）が、少なくとも１つの面ファスナー（１４）によって閉鎖可能である、ことを特徴とする請求項１０に記載の冷却装置。
【請求項１３】
ケープ（４）の、人（１）などの身体へ向いた側が、黒く着色されている、ことを特徴とする請求項１から１２のいずれか１項に記載の冷却装置。
【請求項１４】
ケープ（４）が、通気孔（１５）を有している、ことを特徴とする請求項１から１３のいずれか１項に記載の冷却装置。
【請求項１５】
ケープ（４）が、外側にプリントされて形成されている、ことを特徴とする請求項１から１４のいずれか１項に記載の冷却装置。
【請求項１６】
ケープ（４）が、外側に、宣伝手段などを収容するための装置を有している、ことを特徴とする請求項１から１５のいずれか１項に記載の冷却装置。
【請求項１７】
収容装置が、宣伝手段などを挿入するための少なくとも１つの開口部を備えた、透明な材料からなるポケットによって形成されている、ことを特徴とする請求項１６に記載の冷却装置。
【請求項１８】
収容装置が、面ファスナーなどによって形成されている、ことを特徴とする請求項１６に記載の冷却装置。
【請求項１９】
ケープ（４）が、温度を表示するためのインジケータを有している、ことを特徴とする請求項１から１８のいずれか１項に記載の冷却装置。
【請求項２０】
熱伝導性の良い材料が、グラファイトによって形成されている、ことを特徴とする請求項１から１９のいずれか１項に記載の冷却装置。
【請求項２１】
冷却液（３）が、水によって形成されている、ことを特徴とする請求項１から２０のいずれか１項に記載の冷却装置。
【請求項２２】
冷却部材（６）の、人（１）などの身体とは逆の側に、断熱性の層（２）が配置されている、ことを特徴とする請求項１から２１のいずれか１項に記載の冷却装置。
【請求項２３】
ケープ（４）の外側が、織物（７）によって形成されている、ことを特徴とする請求項１から２２のいずれか１項に記載の冷却装置。
【発明の詳細な説明】
【技術分野】
【０００１】
本発明は、移動可能に互いに結合された冷却部材を有し、それら冷却部材が冷却すべき人などによって着用可能なケープの形状で配置され、かつ冷却液を含んでいる、人などの身体を冷却する装置に関する。
【０００２】
本発明は、特に、スポーツで最高の働きを行った後に次の活動におけるパワーを向上させるために、スポーツ選手を冷却することに関する。たとえば、本発明に基づく装置は、フットボールプレーヤーにおいてフットボールゲームの休憩の間に、第２のハーフタイムのためのパワーを向上させるために、所定時間適用することができる。他の種類のスポーツまたは活動における適用も、可能である。この装置は、主として人を冷却するように設計されているが、動物、たとえば競走馬においても適用が考えられる。
【背景技術】
【０００３】
スポーツまたは作業領域において最高の働きを行った後に、該当する人は、多くは身体を冷却する必要を有する。この目的のために、冷却する飲料が摂取され、かつ／または身体が水で冷却される。しかし、冷たい水による身体の冷却は、必ずしも可能ではなく、ないしは好ましくない。たとえば、スポーツイベント、たとえばボクシングまたはフットボールゲームの休憩の間に、スポーツ選手にとって、シャワーを浴びて、それによって身体の火照りに対処することは、時間的に不可能である。
【０００４】
たとえば頭部または火傷した身体部分について、体温を低下させるための冷却する上掛けは、知られているが、多くは、短い適用時間の間に体温の不十分な低下しかもたらさない。
【０００５】
人を冷却するために使用することができる、ヴェストなどの形状の衣類が、たとえば引用文献１ＵＳ５０７２４５５Ａ、引用文献２ＵＳ６１８９１４９Ｂ１、引用文献３ＵＳ５６９２２３８Ａ、引用文献４ＵＳ５１４６６２５Ａまたは引用文献５ＤＥ３５２１８１３Ａ１から知られている。その場合に冷却するために、多くは、冷却液またはガス状の冷却剤が使用され、それは衣類に設けられた、然るべきポケットなどに挿入することができる。その場合に冷却装置を設けるための手間は、比較的大きい。さらに、人の迅速な冷却は、大体において不可能である。
【０００６】
引用文献６からは、この種類の冷却ヴェストが知られており、その場合に冷却剤は、二重に形成された冷却ヴェスト内へ挿入される。その場合に、冷却剤として水を使用することができる。冷却装置による人の身体への冷熱の移行ないし人の身体の熱の吸収は、比較的低速であるので、極めて短い時間内で冷却は不可能である。
【特許文献１】米国特許５０７２４５５Ａ
【特許文献２】米国特許６１８９１４９Ｂ１
【特許文献３】米国特許５６９２２３８Ａ
【特許文献４】米国特許５１４６６２５Ａ
【特許文献５】独国特許３５２１８１３Ａ１
【特許文献６】独国特許３００４５９６Ａ１
【発明の開示】
【発明が解決しようとする課題】
【０００７】
従って本発明の課題は、極めて短い時間内に人などの身体の効率的な冷却を可能にする、上述した冷却装置を提供することである。既知の冷却装置の欠点は、減少され、あるいは回避されなければならない。冷却装置は、できるだけ簡単に形成でき、かつ迅速な適用を許さなければならない。製造コストが、高すぎてはならない。
【課題を解決するための手段】
【０００８】
本発明の課題は、冷却部材の内部に、冷却液を収容するための、冷却液に比較して熱伝導性のよい材料が含まれている、上述した装置によって解決される。冷却部材の内部に含まれている、熱伝導性の良い材料によって、冷却液、たとえば水の、通常は悪い熱伝導性がカバーされ、冷却部材内に配置されている材料の良好な伝導性によって、冷却装置の適用後、極めて迅速に冷却液の溶融温度が達成される。従って、冷却液として水を使用する場合に氷の大きい溶融熱を冷却目的に使用することができる。適切な冷却液の選択を前提として、このようにして、人などの身体表面の凍傷が回避される。冷却部材によって然るべき熱容量が形成される限りにおいて、本発明に基づくケープの適用が比較的短い場合でも、身体の特に迅速な冷却を得ることができる。冷却液を有する冷却部材からなるケープは、通常の衣類のようにまとうことによって、特に迅速かつ容易に適用することができる。冷却部材が互いに移動可能に結合されていることによって、本発明に基づくケープは、高い着用快適性のために、十分な柔軟性を有している。冷却部材内の冷却液を適切に冷却するために、ケープは、たとえば、冷凍庫のような、冷却装置内に保管される。適用前に、ケープが冷凍庫から取り出されて、人などに着せかけられる。このようにして、スポーツ選手は、たとえばゲームユニットの間の休憩において、たとえば数分の、所定の時間にわたってケープを着用することによって、身体を冷却し、次のスポーツ活動のためのパワーを向上させることができる。活動、特に消耗させる活動の前の作業における適用も、同様に考えられる。
【０００９】
冷却部材が直接人などの身体表面に添接して、そこで低温に基づいて痛みまたは特に火傷を引き起こすことを防止するために、冷却装置の、身体へ向いた側に、スペーサ部材を配置することができる。このスペーサ部材は、身体表面と冷却部材の間に所定の最小間隔を保証するので、身体の冷却は、冷却部材からの放射によってのみ行われる。さらに、身体表面は、スペーサ部材の間を循環する空気によって通気されて、除湿される。
【００１０】
高い着用快適性のために、スペーサ部材は発泡材から形成することができる。
【００１１】
スペーサ部材をそれぞれの要請に適合させるために、スペーサ部材を可塑変形可能な材料から形成することができる。適切な材料の使用を前提として、それが望ましい場合に、所定の箇所において、然るべき圧力を加えることによってスペーサ部材を克服し、それによって冷却部材と身体表面の間の間隔を減少させることができる。
【００１２】
さらに、スペーサ部材は、取り外し可能に配置することができるので、所定の身体部位の冷却を個別に調節することが可能になる。たとえば、スペーサ部材は、面ファスナーによってケープの内側と結合することができ、それぞれ必要に応じてケープの内側の所定の箇所に配置することができる。
【００１３】
着用快適性を高めるために、ケープ内に肩パッドを配置することができる。ケープの重量は、冷却部材とその中に配置されている冷却液に基づいて比較的大きく、たとえば１０から２０ｋｇの範囲になり得るので、この種の肩パッドが、肩に作用する力を分配する。
【００１４】
好ましくは、肩パッドは、発泡材から形成されている。
【００１５】
腕の冷却も保証するために、本発明の他の特徴によれば、ケープは適当な袖を有している。しかし、専用に形成された袖の代わりに、人はケープをポンチョの形式で腕の上に羽織って、それによって腕も冷却することができる。
【００１６】
頭部を然るべく冷却するために、ケープは、フードとその中に設けられた冷却剤を有することができる。
【００１７】
ケープの着用を容易にするために、ケープは少なくとも１つの、好ましくは閉鎖可能な、開口部を有することができる。その場合に、開口部は、衣類において一般的であるように、ケープの長さの一部にわたってだけ、あるいは長さ全体にわたって上から下までつなげて設けることができる。
【００１８】
本発明の特徴によれば、少なくとも１つの開口部は、然るべきファスナーによって形成することができる。それによって、ケープの迅速な開放と閉鎖およびそれに伴って迅速な適用が保証される。
【００１９】
ファスナーの代わりに、あるいはそれに加えて、少なくとも１つの開口部を、面ファスナーによって閉鎖可能にすることもできる。
【００２０】
冷却部材から身体表面への冷熱の効率的な放射を保証するために、ケープの、身体へ向いた側を黒く着色することができる。
【００２１】
十分な空気循環を保証し、汗を逃がすために、ケープは適切な箇所に通気孔を有することができる。
【００２２】
本発明の他の特徴に従って、ケープが外側においてプリントして形成されている場合に、ケープは宣伝手段として機能することができ、それは、特にスポーツの領域において経済的重要性が極めて大きい。
【００２３】
ケープのプリントされた箇所の代わりに、あるいはそれに加えて、ケープの外側に、宣伝手段などを収容するための装置を設けることもできる。
【００２４】
この種の収容装置は、たとえば、宣伝手段などを挿入するための少なくとも１つの開口部を備えた、透明な材料からなるポケットによって、あるいは面ファスナーなどによって、結合することができる。従って、たとえば、宣伝プラカードを透明なポケット内へ挿入し、あるいは裏側に面ファスナーなどを有する宣伝ステッカーなどを、ケープの外側に固定することができる。
【００２５】
冷却部材の温度をチェックするために、ケープは、温度を表示するためのインジケータを有することができる。この種の温度インジケータは、好ましくはバッテリなしで形成されており、たとえば、温度に従って色を変化させる、カラーインジケータによって形成することができる。
【００２６】
好ましくは、冷却液は、水によって形成される。水は、０℃の融点を有するので、身体表面において０℃より低い温度をもたらさず、従って冷却部材が皮膚に添接した場合に皮膚を火傷させることがない。その場合に、好ましくは純水が使用される。３３５ｋＪ／ｋｇを有する、水における溶融熱、すなわち液状になるために氷が吸収する熱も、比較的高い。
【００２７】
冷却部材が外側へ向かって冷却することを防止し、あるいは遅延させるために、冷却部材の、身体とは逆の側に、熱絶縁する層を配置することができる。この熱絶縁する層は、容易に加工される、劣悪な熱伝導性を有する適切な材料から形成することができる。
【００２８】
ケープの外側は、織物から形成することができる。しかしまた、ケープの重量を減少させるために、織物を配置せず、冷却部材をたとえば直接、ラテックスからなる格子上に配置して、加硫加工することも、可能である。
【００２９】
添付の図面を用いて、本発明を詳細に説明する。
【発明を実施するための最良の形態】
【００３０】
図１は、互いに移動可能に結合された冷却部材２を有する、人１などの身体を冷却するための本発明に基づく装置の実施変形例を示しており、その冷却部材は冷却液３を含んでおり、その場合に冷却部材２は、冷却すべき人１によって着用可能なケープ４の形状で配置されている。冷却部材２は、図２に示す断面図から明らかなように、たとえば直方体状の形状を有している。冷却部材２は、たとえばラテックスまたはシリコンのような、伸張可能なプラスチック製の、ジャケット５からなる。冷却部材２内に、冷却液３が配置されており、その冷却液が、好ましくは、たとえば金属ウール、金属泡またはグラファイトのような、熱伝導性の良い材料内に埋め込まれており、それによって熱伝導性を向上させ、それに伴って冷却液３の冷熱を迅速に放出することができる。冷却部材２の内部で冷却液３が外部から暖められることを防止し、ないしは減少させるために、冷却部材２の、人１の身体とは逆の側に、断熱性の層６を配置することができる。ケープ４の外側は、好ましくは、織物７の層から形成されている。人の体表面の方向への冷熱の放射を改良するために、冷却部材２の、人１の体表面へ向いた側を黒く着色することができる。冷却部材２が人１の体表面に添接することを防止するために、冷却部材２の、人１などの身体へ向いた側８に、スペーサ部材９を配置することができる。このスペーサ部材９は、発泡材または可塑変形可能な材料から形成することができ、たとえば取り外し可能に配置することもできる。
【００３１】
ケープ４は、腕を冷却するための袖１０と頭部を冷却するためのフード１１を有することができる。それぞれ脚も十分に冷却されることが望まれるか、に従って、ケープ４を長くも、短くも形成することができる。ケープ４をまとうことを容易にするために、少なくとも１つの、好ましくは閉鎖可能な開口部１２を設けることができ、その開口部はたとえばファスナー１３によって形成することができる。開口部１２は、少なくとも１つの面ファスナー１４によって閉鎖可能にすることもできる。ケープ４の下での空気の循環を保証するために、通気孔１５を種々の箇所に、かつ種々の大きさで配置することができる。
【００３２】
ケープ４の外側は、所定の箇所１６に、あるいは全体として、プリントして形成することができる。このようにして、ケープは、宣伝手段として機能することができ、それは、特にスポーツ領域において経済的に極めて重要である。プリントされた箇所１６の代わりに、ケープ４の外側に、たとえば透明な材料からなるポケットまたは面ファスナーのような、宣伝手段などを収容するための装置を配置することもできる（図示せず）。ケープ４を着用する人１などに冷却部材２の温度を表示するために、温度を表示するための適切なインジケータを配置することができる（図示せず）。これは、たとえば、バッテリなしで機能する、カラーインジケータによって形成することができる。
【００３３】
図３の部分的な断面表示から特に明らかなように、好ましくは発泡材などから形成された、肩パッド１７を設けることもできる。冷却剤２を有するケープ４は、比較的大きい重量を有しているので、肩パッド１７によって人１の肩における、力を受ける箇所が回避され、同時に身体表面に対する間隔が形成される。図３は、身体表面と冷却部材２の下側との間の最小間隔を保証するための、他のスペーサ部材９を示している。
【図面の簡単な説明】
【００３４】
【図１】人の身体を冷却するための本発明に基づく冷却装置を示している。
【図２】冷却装置の詳細を示す断面図である。
【図３】冷却装置の他の詳細を、部分的に断面で示している。
【図１】
2009525410.tif 000003
【図２】
2009525410.tif 000004
【図３】
2009525410.tif 000005
【国際調査報告】
2009525410.tif 000006
2009525410.tif 000007
2009525410.tif 000008
2009525410.tif 000009
2009525410.tif 000010
2009525410.tif 000011